(57)【要約】【課題】前框に加工を行う必要がなく、前框の製造コストを下げることができるとともに、前框の前面に凹みや傷が付いたり、前框の表面から下地が透けて見えたり、前框の表面に下地の凹凸が現れたりすることのない棚を施工できる棚施工用部材を提供する。【解決手段】四角形の垂直板部１２と、垂直板部の下端から後方に延出した下側水平板部１４と、垂直板部の上端から後方に延出した上側板部１６とを具備し、上側板部は、上面前後方向中間部に長手方向に沿って中間凹部１８が設けられているとともに、その前方に前側凸部２０、後方に前側凸部よりも高さが低い後側凸部２２が形成されたものであり、棚を施工するに当たり、下側水平板部と上側板部の中間凹部の底壁２４との間に前框５０を挿入し、上側板部の中間凹部に棚板５６の係合突出部５２を挿入し、上側板部の後側凸部２２を棚板の係合溝部５４に挿入する棚施工用部材１０とする。【選択図】図２
2014047490.tif 000002
【特許請求の範囲】
【請求項１】
上面および下面が平面状の四角板材からなる前框と、前端部下面に幅方向に沿って係合突出部、その後方に幅方向に沿って係合溝部が形成された四角板材からなる棚板とを有する棚の施工に用いる棚施工用部材であって、
四角形の垂直板部と、前記垂直板部の下端から後方に延出した下側水平板部と、前記垂直板部の上端から後方に延出した上側板部とを具備し、
前記上側板部は、上面前後方向中間部に長手方向に沿って中間凹部が設けられているとともに、前記中間凹部の前方に長手方向に沿って前側凸部、後方に前記前側凸部よりも高さが低い後側凸部が長手方向に沿って形成されたものであり、
前記下側水平板部と前記上側板部の中間凹部の底壁との間の距離は前框の高さとほぼ等しく、前記上側板部の前側凸部の高さは棚板の厚さとほぼ等しく、前記上側板部の中間凹部の前後方向距離は棚板の係合突出部の前後方向距離とほぼ等しく、前記上側板部の後側凸部の高さは棚板の係合溝部の深さとほぼ等しく、前記上側板部の後側凸部の前後方向距離は棚板の係合溝部の前後方向距離とほぼ等しく、
前記棚を施工するに当たり、前記下側水平板部と前記上側板部の中間凹部の底壁との間に前框を挿入し、前記上側板部の中間凹部に棚板の係合突出部を挿入し、前記上側板部の後側凸部を棚板の係合溝部に挿入することを特徴とする棚施工用部材。
【請求項２】
前記下側水平板部の後端に上方に突出した下側係止板が形成され、前記垂直板部と前記下側係止板との間の距離は前框の厚さとほぼ等しく、前記垂直板部と前記下側係止板との間に前框の下端部を挿入することを特徴とする請求項１に記載の棚施工用部材。
【請求項３】
前記上側板部の後側凸部の後壁は、前記上側板部の中間凹部の底壁よりも下方に延出し、前記垂直板部と前記後側凸部の後壁との間の距離は前框の厚さとほぼ等しく、前記垂直板部と前記後側凸部の後壁との間に前框の上端部を挿入することを特徴とする請求項１または２に記載の棚施工用部材。
【請求項４】
不透明な合成樹脂により形成されていることを特徴とする請求項１〜３のいずれか１項に記載の棚施工用部材。
【請求項５】
請求項１〜４のいずれか１項に記載の棚施工用部材と、上面および下面が平面状の四角板材からなる前框と、前端部下面に幅方向に沿って係合突出部、その後方に幅方向に沿って係合溝部が形成された四角板材からなる棚板とを具備することを特徴とする棚施工用セット。
【発明の詳細な説明】
【技術分野】
【０００１】
本発明は、押入やクロゼットの中段棚、枕棚などの施工に用いられる棚施工用部材およびそれを用いた棚施工用セットに関する。
【背景技術】
【０００２】
従来、押入の内部には、中段棚や枕棚が設けられている（例えば、特許文献１、２参照）。図３は、押入の中段棚や枕棚の一例を示す概略断面図である。本例の棚１００において、１０２は前框、１０４は棚板を示す。
【０００３】
前框１０２は、四角形の板材１０３の上面前後方向中間部に長手方向に沿って中間凹部１０６が設けられているとともに、中間凹部１０６の前方に前側凸部１０８、後方に前側凸部１０８よりも高さが低い後側凸部１１０が形成されたものである。また、板材１０３の前面から下面にかけては化粧紙１１２（図中点線で示す）が貼られている。
【０００４】
棚板１０４は、四角形の板材１０５の前端部下面に係合突出部１１４、その後方に係合溝部１１６が形成されたものである。また、板材１０５の上面には化粧紙１１８（図中点線で示す）が貼られている
【０００５】
本例の棚１００を施工する場合、前框１０２および四角棒状の受桟（図示せず）を押入内に取り付け、棚板１０４の係合突出部１１４を前框１０２の中間凹部１０６に挿入し、前框１０２の後側凸部１１０を棚板１０４の係合溝部１１６に挿入した状態で、棚板１０４を前框１０２および受桟に固定する。
【先行技術文献】
【特許文献】
【０００６】
【特許文献１】実公平７−４１７８３号公報
【特許文献２】特開平７−２８６４３１号公報
【発明の概要】
【発明が解決しようとする課題】
【０００７】
しかし、図３に示した棚には、以下のような問題があった。
（１）前框１０２に中間凹部１０６、前側凸部１０８、後側凸部１１０を形成し、棚板１０４に係合突出部１１４、係合溝部１１６を形成する必要があり、前框１０２および棚板１０４の両方に加工が必要であるため、前框１０２および棚板１０４の製造コストが高くなる。
（２）前框１０２の前面を化粧紙１１２で化粧加工しているが、化粧紙１１２は強度が低いため、前框１０２の前面に凹みや傷が付きやすい。
（３）前框１０２の前面を化粧紙１１２で化粧加工しているが、化粧紙１１２は薄いため、前框１０２の表面から下地（板材１０３の表面）が透けて見えたり、前框１０２の表面に下地（同前）の凹凸が現れたりすることがある。
（４）上記のように前框１０２の表面から下地が透けて見えたり、前框１０２の表面に下地の凹凸が現れたりすることがあるため、板材１０３として表面品質の良いものしか使えない。
【０００８】
本発明は、上述した事情に鑑みてなされたもので、前框に加工を行う必要がなく、したがって前框の製造コストを下げることができるとともに、前框の前面に凹みや傷が付いたり、前框の表面から下地が透けて見えたり、前框の表面に下地の凹凸が現れたりすることのない棚を施工することが可能な棚施工用部材およびそれを用いた棚施工用セットを提供することを目的とする。
【課題を解決するための手段】
【０００９】
本発明は、前記目的を達成するため、
上面および下面が平面状の四角板材からなる前框と、前端部下面に幅方向に沿って係合突出部、その後方に幅方向に沿って係合溝部が形成された四角板材からなる棚板とを有する棚の施工に用いる棚施工用部材であって、
四角形の垂直板部と、前記垂直板部の下端から後方に延出した下側水平板部と、前記垂直板部の上端から後方に延出した上側板部とを具備し、
前記上側板部は、上面前後方向中間部に長手方向に沿って中間凹部が設けられているとともに、前記中間凹部の前方に長手方向に沿って前側凸部、後方に前記前側凸部よりも高さが低い後側凸部が長手方向に沿って形成されたものであり、
前記下側水平板部と前記上側板部の中間凹部の底壁との間の距離は前框の高さとほぼ等しく、前記上側板部の前側凸部の高さは棚板の厚さとほぼ等しく、前記上側板部の中間凹部の前後方向距離は棚板の係合突出部の前後方向距離とほぼ等しく、前記上側板部の後側凸部の高さは棚板の係合溝部の深さとほぼ等しく、前記上側板部の後側凸部の前後方向距離は棚板の係合溝部の前後方向距離とほぼ等しく、
前記棚を施工するに当たり、前記下側水平板部と前記上側板部の中間凹部の底壁との間に前框を挿入し、前記上側板部の中間凹部に棚板の係合突出部を挿入し、前記上側板部の後側凸部を棚板の係合溝部に挿入することを特徴とする棚施工用部材を提供する。
【００１０】
また、本発明は、上述した本発明の棚施工用部材と、上面および下面が平面状の四角板材からなる前框と、前端部下面に幅方向に沿って係合突出部、その後方に幅方向に沿って係合溝部が形成された四角板材からなる棚板とを具備することを特徴とする棚施工用セットを提供する。
【００１１】
本発明の棚施工用部材においては、前記下側水平板部の後端に上方に突出した下側係止板が形成され、前記垂直板部と前記下側係止板との間の距離は前框の厚さとほぼ等しく、前記垂直板部と前記下側係止板との間に前框の下端部を挿入する構成とすることができる。このようにすると、下側水平板部と上側板部との間に前框全体を確実に取り付けることができる。
【００１２】
本発明の棚施工用部材においては、前記上側板部の後側凸部の後壁は、前記上側板部の中間凹部の底壁よりも下方に延出し、前記垂直板部と前記後側凸部の後壁との間の距離は前框の厚さとほぼ等しく、前記垂直板部と前記後側凸部の後壁との間に前框の上端部を挿入する構成とすることができる。このようにすると、下側水平板部と上側板部との間に前框全体を確実に取り付けることができる。
【００１３】
本発明の棚施工用部材の材質に限定はなく、合成樹脂、金属等の適宜材料で形成することができるが、前框の前面に凹みや傷が付いたり、前框の表面から下地が透けて見えたり、前框の表面に下地の凹凸が現れたりすることのない棚を施工する点、および、棚施工用部材を軽量化する点で、不透明な合成樹脂により形成することが好ましい。この場合、上記合成樹脂としては、例えば、塩化ビニル樹脂、ＡＢＳ樹脂等を挙げることができる。
【００１４】
また、本発明の棚施工用セットにおいて、前框および棚板の材質としては、例えばムク板、合板、集成材、パーティクルボード、ＭＤＦ、ＬＶＬ、フラッシュパネル等が挙げられる。なお、棚板の片面または両面には、必要に応じ化粧紙を貼ることができる。
【００１５】
本発明の棚施工用部材および棚施工用セットは、押入やクロゼットの中段棚、枕棚などの他、室内に適宜施工される棚の施工にも使用することができる。
【発明の効果】
【００１６】
本発明の棚施工用部材および棚施工用セットによれば、前框に加工を行う必要がなく、したがって前框の製造コストを下げることができるとともに、前框の前面に凹みや傷が付いたり、前框の表面から下地が透けて見えたり、前框の表面に下地の凹凸が現れたりすることのない棚を施工することが可能である。
【００１７】
より詳しくは、本発明の棚施工用部材および棚施工用セットは、下記の作用効果を奏する。
［１］前框として、上面および下面が平面状の四角板材からなるものを使用することができ、前框に加工が不要であるため、前框の製造コストを安くすることができる。
［２］前框の前面を合成樹脂からなる棚施工用部材の垂直板部で覆うことにより、前框の前面に凹みや傷が付きにくい。
［３］前框の前面を不透明の合成樹脂からなる棚施工用部材の垂直板部で覆うことにより、棚施工用部材の表面から下地が透けて見えたり、棚施工用部材の表面に下地の凹凸が現れたりすることがない。
［４］上記のように棚施工用部材の表面から下地が透けて見えたり、棚施工用部材の表面に下地の凹凸が現れたりすることがないため、前框として表面品質の悪いものも使用することができる。
［５］棚施工用部材の中間凹部に棚板の係合突出部を挿入し、棚施工用部材の後側凸部を棚板の係合溝部に挿入するので、棚施工用部材と棚板とがかみ合っており、そのため、前框を前方に引っぱっても棚施工用部材から棚板が抜けることがないとともに、前框が前後に反るような気候条件であっても、棚施工用部材と棚板とのかみ合いにより前框が前後に反ることを防止することができる。
［６］予め棚施工用部材を取り付けた前框を押入内に固定したり、前框を押入内に固定してから前框に棚施工用部材を取り付けたりすることができるなど、棚の施工方法の自由度が増加する。
【図面の簡単な説明】
【００１８】
【図１】本発明に係る棚施工用部材の一実施形態を示す側面図である。
【図２】図１の棚施工用部材を用いて施工した棚を示す斜視図である。
【図３】従来の押入の棚の一例を示す概略断面図である。
【発明を実施するための形態】
【００１９】
以下、本発明を図面に示す実施形態により説明する。図１は、本発明に係る棚施工用部材の一実施形態を示す側面図、図２は、図１の棚施工用部材を用いて施工した棚を示す斜視図である。
【００２０】
本例の棚施工用部材１０は、図２に示すように、上面および下面が平面状の四角板材からなる前框５０と、前端部下面に幅方向に沿って係合突出部５２、その後方に幅方向に沿って係合溝部５４が形成された四角板材からなる棚板５６とを有する棚の施工に用いる。また、本例の棚施工用部材１０は、適宜色彩が施された不透明な合成樹脂により一体成形されている。
【００２１】
本例の棚施工用部材１０において、１２は長尺長方形の垂直板部、１４は垂直板部１２の下端から後方に延出した長尺長方形の下側水平板部、１６は垂直板部１２の上端から後方に延出した上側板部を示す。なお、垂直板部１２と上側板部１６との接続部には傾斜壁（面取り部）１５が形成されている。
【００２２】
上側板部１６は、上面前後方向中間部に長手方向に沿って中間凹部１８が設けられているとともに、中間凹部１８の前方に長手方向に沿って前側凸部２０、後方に前側凸部２０よりも高さが低い後側凸部２２が長手方向に沿って形成されたものである。
【００２３】
下側水平板部１４と上側板部１６の中間凹部１８の底壁２４との間の距離は前框５０の高さとほぼ等しく、上側板部１６の前側凸部２０の高さは棚板５６の厚さとほぼ等しく、上側板部１６の中間凹部１８の前後方向距離は棚板５６の係合突出部５２の前後方向距離とほぼ等しく、上側板部１６の後側凸部２２の高さは棚板５６の係合溝部５４の深さとほぼ等しく、上側板部１６の後側凸部２２の前後方向距離は棚板５６の係合溝部５４の前後方向距離とほぼ等しい。
【００２４】
また、下側水平板部１４の後端に上方に突出した下側係止板２６が形成され、垂直板部１２と下側係止板２６との間の距離は前框５０の厚さとほぼ等しい。
【００２５】
さらに、上側板部１６の後側凸部２２の後壁２８は、上側板部１６の中間凹部１８の底壁２４よりも下方に延出し、垂直板部１２と後側凸部２２の後壁２８との間の距離は前框５０の厚さとほぼ等しい。
【００２６】
本例の棚施工用部材１０を用いて、押入やクロゼットの中段棚、枕棚等の棚を施工する場合、図２に示すように、本例の棚施工用部材１０と、上面および下面が平面状の四角板材からなる前框５０と、前端部下面に幅方向に沿って係合突出部５２、その後方に幅方向に沿って係合溝部５４が形成された四角板材からなる棚板５６とを組み合わせる。なお、棚板５６の上面には化粧紙５８が貼られている。
【００２７】
そして、棚を施工するに当たり、下側水平板部１４と上側板部１６の中間凹部１８の底壁２４との間に前框５０を挿入し、上側板部１６の中間凹部１８に棚板５６の係合突出部５２を挿入し、上側板部１６の後側凸部２２を棚板５６の係合溝部５４に挿入する。また、垂直板部１２と下側係止板２６との間に前框５０の下端部を挿入し、垂直板部１２と上側板部１６の後側凸部２２の後壁２８との間に前框５０の上端部を挿入する。
【００２８】
この場合、例えば下記（ａ）〜（ｄ）の手順で棚を施工することができるが、棚の施工手順はこれらに限定されるものではない。
（ａ）予め棚施工用部材１０を取り付けた前框５０および後受桟を押入内に固定し、次いで前框５０および後受桟に棚板５６を固定した後、横受桟を押入内に固定する。
（ｂ）予め棚施工用部材１０を取り付けた前框５０、後受桟および横受桟を押入内に固定した後、前框５０、後受桟および横受桟に棚板５６を固定する。
（ｃ）前框５０および後受桟を押入内に固定し、次いで前框５０に棚施工用部材１０を取り付けた後、前框５０および後受桟に棚板５６を固定し、さらに横受桟を押入内に固定する。
（ｄ）前框５０、後受桟および横受桟を押入内に固定し、次いで前框５０に棚施工用部材１０を取り付けた後、前框５０、後受桟および横受桟に棚板５６を固定する。
【００２９】
なお、（ｃ）、（ｄ）のように前框５０を押入内に固定してから前框５０に棚施工用部材１０を取り付ける場合、棚施工用部材１０の後端部を開いて前框５０に棚施工用部材１０を押し込む。
【００３０】
本例の棚施工用部材１０の寸法に限定はなく、前框および棚板の寸法に応じて適宜設定することができるが、通常、垂直板部１２の長さ（押入・クロゼットの間口幅に相当）は８００〜３０００ｍｍ、下側水平板部１４と上側板部１６の中間凹部１８の底壁２４との間の距離（前框の高さに相当）は４０〜８０ｍｍ、上側板部１６の前側凸部２０の高さ（棚板の厚さに相当）は５〜２０ｍｍ、垂直板部１２と下側係止板２６との間の距離（前框の厚さに相当）は２０〜３０ｍｍ、垂直板部１２と上側板部１６の後側凸部２２の後壁２８との間の距離（前框の厚さに相当）は２０〜３０ｍｍとすることが適当である。
【００３１】
本実施形態の棚施工用部材１０は、下記の作用効果を奏する。
［１］前框５０として、上面および下面が平面状の四角板材からなるものを使用することができ、前框５０に加工が不要であるため、前框５０の製造コストを安くすることができる。
［２］前框５０の前面を合成樹脂からなる棚施工用部材１０で覆っているため、前框５０の前面に凹みや傷が付きにくい。
［３］前框５０の前面を不透明の合成樹脂からなる棚施工用部材１０で覆っているため、棚施工用部材１０の表面から下地（前框５０の表面）が透けて見えたり、棚施工用部材１０の表面に下地（同前）の凹凸が現れたりすることがない。
［４］上記のように棚施工用部材１０の表面から下地が透けて見えたり、棚施工用部材１０の表面に下地の凹凸が現れたりすることがないため、前框５０として表面品質が悪いものも使用することができる。
［５］棚施工用部材１０の中間凹部１８に棚板５６の係合突出部５２を挿入し、棚施工用部材１０の後側凸部２２を棚板５６の係合溝部５４に挿入するので、棚施工用部材１０と棚板５６とがかみ合っており、そのため、前框５０を前方に引っぱっても棚施工用部材１０から棚板５６が抜けることがないとともに、前框５０が前後に反るような気候条件であっても、棚施工用部材１０と棚板５６とのかみ合いにより前框５０が前後に反ることを防止することができる。
［６］予め棚施工用部材１０を取り付けた前框５０を押入内に固定したり、前框５０を押入内に固定してから前框５０に棚施工用部材１０を取り付けたりすることができるなど、棚の施工方法の自由度が増加する。
【００３２】
なお、本発明の棚施工用部材の形状・構造は、前述した実施形態に限定されるものではなく、必要に応じて種々の変更が可能である。例えば、下側係止板２６を形成しなくてもよい。また、下側水平板部１４、下側係止板２６の形状は長尺長方形に限定されるものではなく、他の適宜形状とすることができる。
【符号の説明】
【００３３】
１０  棚施工用部材
５０  前框
５２  係合突出部
５４  係合溝部
５６  棚板
１２  垂直板部
１４  下側水平板部
１６  上側板部
１８  中間凹部
２０  前側凸部
２２  後側凸部
２４  底壁
２６  下側係止板
２８  後壁
【図１】
2014047490.tif 000003
【図２】
2014047490.tif 000004
【図３】
2014047490.tif 000005